(57)【要約】      （修正有）【課題】「椅子、ベビーカー、バゲッジカー、ハンガー」という四つの機能を有し、折り畳みチェアの取り外しが簡単で、持ちやすく、構造が簡単で、実用性が強い吊り下げ式折り畳みチェアを有する多機能引キャリーバッグを提供する。【解決手段】スーツケース本体、スーツケース蓋、引張棒、トロリホイール、折り畳みチェアとベルトを備える。スーツケース蓋は本体ダブルファスナー、皺層ロングファスナー、貯蔵袋と前部突き出し袋から構成される。貯蔵袋は貯蔵袋蓋、貯蔵袋中間層と貯蔵袋ダブルファスナーを備える。折り畳みチェアには左右支持脚が設けられ、バックレストに左右フック穴が設けられる。貯蔵袋中間層には左右フック、左側上下雌ボタン、右側上下雄ボタン、ベルト袋が設けられ、バックレストの左右フック穴をそれぞれ左右フックに挿入するだけで、折り畳みチェアが吊り下げられる。貯蔵袋蓋には、袋蓋雄ボタン、袋蓋雌ボタン、ベルト袋が設けられる。ベルト袋には品物を固定する長さの異なるベルトが隠れている。【選択図】図１
0003202906.tif 000002
【実用新案登録請求の範囲】
【請求項１】
吊り下げ式折り畳みチェアを有する多機能キャリーバッグであって、スーツケース本体（１）、スーツケース蓋(3)、引張棒(2)、トロリホイール(4)、折り畳みチェア(25)、クロスバンド(22)、ベルト（211、212、213）を備え、そのうち、前記スーツケース蓋(3)は本体ダブルファスナー(8)、皺層ロングファスナー(41)、皺層(411)、貯蔵袋(5)と前部突き出し袋(45)から構成され、前記貯蔵袋(5)は貯蔵袋蓋(6)、貯蔵袋中間層(7)と貯蔵袋ダブルファスナー(91、92)を備え、前記貯蔵袋ダブルファスナー(91)は左ファスナーであり、前記貯蔵袋ダブルファスナー（92）は右ファスナーであり、前記貯蔵袋(5)の口が下向きであり、貯蔵袋(5)の最上部が1本のめくりバンド(241)であって前記貯蔵袋蓋(6)を開けた後で上へめくられるように構成されており、貯蔵袋蓋(6)の中に袋蓋雄ボタン(17)、袋蓋雌ボタン(18)とベルト袋(44)が設けられ、前記折り畳みチェア(25)はフロントUパイプ(26)、バックUパイプ(27)、ピン(28)、バックレスト(29)、バックレストUパイプ(42)、ボルト(43)、シートクッション(30)、左支持脚(32)と右支持脚(33)を備え、前記バックレスト(29)の裏に左フック穴(13)と右フック穴(14)が設けられ、前記貯蔵袋中間層(7)には左フックバンド(101)、右フックバンド(102)、左フック(11)、右フック(12)、袋右側上雄ボタン(191)、袋右側下雄ボタン(192)、袋左側上雌ボタン(201)、袋左側下雌ボタン(202)が設けられている。
【請求項２】
前記左フックバンド(101)と右フックバンド(102)の上端にはそれぞれ本体ダブルファスナー(8)のチェーンベルトと皺層ロングファスナー(41)のチェーンベルトが一緒に前記貯蔵袋中間層(7)最上部の左右両端に縫い合わされており、前記左フックバンド(101)と右フックバンド(102)のバンド下端にはそれぞれ前記左フック(11)と右フック(12)が縫製で繋がれており、あるいはそれぞれ左金属フック(15)と右金属フック(16)が縫製で繋がれている、ことを特徴とする請求項１に記載の吊り下げ式折り畳みチェアを有する多機能キャリーバッグ。
【請求項３】
前記左フック(11)と右フック(12)が同じプレートの上に位置し、または左右に分けて設けられており、前記左フック穴（13）と右フック穴（14）が同じプレートの上に位置し、または左右に分けて設けられており、前記左フック(11)と右フック(12)をそれぞれ左フック穴(13)と右フック穴(14)に挿入できる、ことを特徴とする請求項1に記載の吊り下げ式折り畳みチェアを有する多機能キャリーバッグ。
【請求項４】
前記折り畳みチェア(25)の前Uパイプ(26)と後Uパイプ(27)は前記ピン(28)のカシメ接続によって、前記折り畳みチェア(25)のオープンと折り畳みを実現するものであり、前記前Uパイプ(26)と後Uパイプ(27)の間には左支持脚(32)と右支持脚(33)が設けられている、ことを特徴とする請求項1に記載の吊り下げ式折り畳みチェアを有する多機能キャリーバッグ。
【請求項５】
前記折り畳みチェア(25)のシートクッション(30)の裏に縫製で1個のクッション雄ボタン(3１)が繋がれており、クッション雄ボタン(31)をクロスバンド(22)の雌ボタン(224)に挿入するだけで、クロスバンド(22)のワイドストラップ(221)が赤ちゃんの股間を包み、クロスバンド(22)の雄ボタン(２２３)がクロスバンドヒッチ(２３)の雌ボタンに挿入され、クロスバンドヒッチ(23)が短ベルト(213)に挿入され、短ベルト(213)の雄ボタンが袋の左側の下雌ボタン(２０２)に挿入され、短ベルト(213)の長さをよく調整した後、短ベルト(213)の雌ボタンに袋の右側の下雄ボタン(192)を挿入すれば、赤ちゃんを固定することができる、ことを特徴とする請求項1に記載の吊り下げ式折り畳みチェアを有する多機能キャリーバッグ。
【請求項６】
前記スーツケース蓋(3)とスーツケース本体(1)の一側には、縫製で一つのめくりバンド(24)が繋がれており、前記めくりバンド(24)の両端が本体ダブルファスナー(8)の両端と縫製で繋がれており、スーツケース蓋(3)の左、上、右、下の四つの辺では、本体ダブルファスナー(8)によってスーツケース本体(1)の左、上、右、下の四つの辺を閉めたり開けたりすることができる、ことを特徴とする請求項1に記載の吊り下げ式折り畳みチェアを有する多機能キャリーバッグ。
【請求項７】
前記貯蔵袋蓋(6)の中には、袋蓋雄ボタン(17)、袋蓋雌ボタン(18)が設けられ、中ベルト(211)の一端にある雌ボタンを袋蓋雄ボタン(17)に挿入し、中ベルト(211)の長さをよく調整した後、中ベルト(211)のもう一端の雄ボタンが袋蓋雌ボタン(18)に挿入されるだけで、貯蔵袋蓋(6)が引張棒(2)の上に固定される、ことを特徴とする請求項1に記載の吊り下げ式折り畳みチェアを有する多機能キャリーバッグ。
【請求項８】
前記折り畳みチェア（25）のバックレスUパイプ(42)が直接に左金属フック(15)と右金属フック（16）の上に吊り下げられ、前記左支持脚（32）は左前足（321）、左後足（322）、左足カシメピン（323）から構成され、前記右支持脚（33）は右前足（331）、右後足（332）、右足カシメピン（333）から構成される、ことを特徴とする請求項1に記載の吊り下げ式折り畳みチェアを有する多機能キャリーバッグ。
【請求項９】
前記クロスバンド(22)の中間部は2枚のちょうど引張棒に入るワイドストラップ(221)から縫製したものであり、前記ワイドストラップ(221)の左右両端にはそれぞれ縫製でゴムバンド(222)が繋がれ、前記ゴムバンド(222)の左端が縫製で雄ボタン(223)と繋がれ、ゴムバンドの右端が縫製で雌ボタン(224)と繋がれ、前記ワイドストラップ(221)が引張棒に入った後、長ベルト(212)の一端にある雌ボタンにクロスバンド雄ボタン(223)が挿入され、長ベルト(212)の長さをよく調整した後、長ベルト(212)のもう一端の雄ボタンをクロスバンド雌ボタン(224)に挿入し、それから中ベルト(211)の一端にある雌ボタンに袋の右側の下雄ボタン(192)を挿入し、中ベルト(211)の長さをよく調整した後、中ベルト(211)のもう一端の雄ボタンを袋の左側の下雌ボタン(202)に挿入すると、大きいパック(37)または大きなスーツケース本体(38)を袋側左右雄雌ボタン(192)、(202)と引張棒(2)に固定することができ、また、袋の右側の上雄ボタン(191)と袋左側の上雌ボタン(201)をそれぞれ荷物かばん(39)の左右雄雌ボタン(392)に挿入すると、荷物かばん(39)をロックすることができる、ことを特徴とする請求項1に記載の吊り下げ式折り畳みチェアを有する多機能キャリーバッグ。
【請求項１０】
前記折り畳みチェア（25）の中にはハンガー(34)が設けられ、ハンガー（34）が左フック(11)と右フック(12)の上に掛けられ、ハンガー（34）に洗濯ばさみ(35)がある、ことを特徴とする請求項1に記載の吊り下げ式折り畳みチェアを有する多機能キャリーバッグ。
【考案の詳細な説明】
【技術分野】
【０００１】
本考案は、スーツケースに関し、特に吊り下げ式折り畳みチェアを有する多機能キャリーバッグに関する。
【背景技術】
【０００２】
人々が外出する時、普通はキャリーバッグを持つ必要があるので、長時間にわたってスーツケースを引いて歩き、車を待ち、車を乗せ、人を待つ時、普段は座って休憩したくなる。そのように持つ品物が多くてキャリーバッグの中に積み込めない際にスーツケースの外に置くしかなく、特に大きな品物を入れられない。赤ちゃんを連れて外出する時、左手で赤ちゃんを抱いて、右手でスーツケースを引くしかなく、さらに苦しくなる。また、シャツやズボンをスーツケースの中に入れると皺になりやすい。上記のような問題を解決するために、国内外には「椅子付き」、「ラック付き」、「子供連れ可能な」キャリーバッグといった特許が沢山出てきているが、構造が複雑であり、機能が単一であり、特に椅子やラックが取り外せないものが多く、美観に影響し、スーツケースの自重も増加し、椅子やラックの使用が不要な際にキャリーバッグを持ち歩くのが面倒になる。
【考案の概要】
【考案が解決しようとする課題】
【０００３】
本考案の目的は、折り畳みチェアを吊り下げ、「椅子、ベビーカー、バゲッジカー、ハンガー」という四つの機能を有するキャリーバッグを提供して、現有技術による単一の構成で人々のいろんな問題を解決することを目的とする。
【課題を解決するための手段】
【０００４】
本考案が採用する技術方案は、吊り下げ式折り畳みチェアを有する多機能キャリーバッグであり、スーツケース本体、スーツケース蓋、引張棒、トロリホイール、折り畳みチェア、クロスバンドとベルトを備え、前記スーツケース蓋は本体ダブルファスナー、皺層ロングファスナー、皺層、貯蔵袋と前部突き出し袋から構成される。前記貯蔵袋は貯蔵袋蓋、貯蔵袋中間層と貯蔵袋ダブルファスナーを備える。前記貯蔵袋の口が下向きであり、貯蔵袋の最上部が1本のめくりバンドであって前記貯蔵袋蓋を開けた後上へめくられるように構成されており、貯蔵袋蓋の中に袋蓋雄ボタン、袋蓋雌ボタンとベルト袋が設けられている。前記折り畳みチェアはフロントUパイプ、バックUパイプ、ピン、バックレスト、バックレストUパイプ、ボルト、シートクッション、左支持脚と右支持脚を備える。前記バックレストの裏に左フック穴、右フック穴が設けられている。前記貯蔵袋中間層には左フックバンド、右フックバンド、左フック、右フック、袋の右側上雄ボタン、袋の右側下雄ボタン、袋の左側上雌ボタン、袋の左側下雌ボタンが設けられている。
【０００５】
前記貯蔵袋中間層には左フックバンド、右フックバンドが設けられ、前記左右フックバンドの上部はそれぞれ前記本体ダブルファスナーのチェーンベルトと皺層ロングファスナーのチェーンベルトと一緒に前記貯蔵袋中間層最上部の左右両側に縫合される。前記左フックバンドと右フックバンドの下部はそれぞれ左フックと右フックと縫製で繋がれ、左フックと右フックをそれぞれバックレストの裏にある左右フック穴に挿入するだけで、折り畳みチェアが吊り下げられる。
【０００６】
前記折り畳みチェアの前Uパイプと後Uパイプは、ピンのカシメ接続によって、折り畳みチェアのオープンと折り畳みを実現するものである。前Uパイプと後Uパイプの間には左支持脚と右支持脚が設けられ、それぞれ左右支持脚を押すだけで、シートクッションがぴんと引張られ、左右支持脚が引き起こされて、折り畳みチェアをしまっておける。
【０００７】
前記折り畳みチェアのシートクッションの裏には縫製で一個のクッション雄ボタンが繋がれており、クッション雄ボタンをクロスバンドの雌ボタンに挿入するだけで、クロスバンドのワイドストラップが赤ちゃんの股間を包み、クロスバンドの雄ボタンがクロスバンドヒッチの雌ボタンに挿入され、クロスバンドヒッチが短ベルトに挿入され、短ベルトの雄ボタンが袋左側の下雌ボタンに挿入され、短ベルトの長さをよく調整した後、短ベルトの雌ボタンに袋右側の下雄ボタンが挿入されれば、赤ちゃんを固定することができる。
【０００８】
前記スーツケース蓋とスーツケース本体の一側には、縫製で一つのめくりバンドが繋がれ、めくりバンドの両端が本体ダブルファスナーの両端と縫製で繋がれ、スーツケース蓋の左、上、右、下の四つの辺に、本体ダブルファスナーによって本体の左、上、右、下の四つの辺を閉めたり開けたりする。
【０００９】
前記貯蔵袋蓋の中には、袋蓋雄ボタン、袋蓋雌ボタン、ベルト袋が設けられており、中ベルトの一端にある雌ボタンを袋蓋雄ボタンに挿入して、中ベルトの長さをよく調整した後、中ベルトのもう一端の雄ボタンを袋蓋雌ボタンに挿入するだけで、貯蔵袋蓋を引張棒の上に固定することができ、引きながら歩く際に貯蔵袋蓋が落下せず、ベルト袋が規格の異なるベルトを貯蔵することができる。
【００１０】
前記クロスバンドの中間は2枚のちょうど引張棒に入るワイドストラップで縫製したものであり、ワイドストラップの左右両端にはそれぞれ縫製でゴムバンドが繋がれ、ゴムバンドの左端に縫製で雄ボタンが繋がれ、ゴムバンドの右端に縫製で雌ボタンが繋がれ、前記ワイドストラップが引張棒に入った後、長ベルトの一端にある雌ボタンがクロスバンド雄ボタンに挿入され、長ベルトの長さをよく調整した後、長ベルトのもう一端の雄ボタンをクロスバンド雌ボタンに挿入し、それから中ベルトの一端にある雌ボタンに袋の右側の下雄ボタンを挿入し、中ベルトの長さをよく調整した後、中ベルトのもう一端の雄ボタンを袋左側の下雌ボタンに挿入すると、大きいパックまたは大きなスーツケース本体を袋の側の左右雄雌ボタンと引張棒のに固定することができる。また、袋の右側の上の雄ボタンと袋の左側の上の雌ボタンをそれぞれ荷物かばんに縫合された左右雄雌ボタンに挿入すると、荷物かばんをロックすることができる。
【考案の効果】
【００１１】
本考案の優れた長所と効果としては、構造が簡単であり、低コストであり、折り畳みチェアが取り外しやすく、持ちやすく、普段は折り畳みチェアを家の中に置いて小さな椅子として使うことができる。もし、長距離旅行の場合、椅子で休憩することができる。品物が多くてスーツケースの中に入らない場合または赤ちゃんを連れて外出が大変である時、折り畳みチェアをキャリーバッグの上に吊り下げると、「椅子、ベビーカー、バゲッジカー」の機能を有する（テストによると、25キロを引き乗せることが可能）。衣服が箱の中に入って皺を心配する時、貯蔵袋で衣服を掛けることができ、ハンガーを左フックと右フックの上に掛けるだけで、シャツやズボンを洗濯はさみで挟んで外出の際に持って出る衣服にしわが生じなくなる。特に、折り畳みチェアを簡単にスーツケース蓋の上にある貯蔵袋の中に収納することができ、キャリーバッグの美観にまったく影響を与えない。
【図面の簡単な説明】
【００１２】
【図１】図1は本考案の全体構造表示図である。
【図２】図2は本考案の側面構造表示図である。
【図３】図３は本考案のフックをフック穴に挿入する前の表示図である。
【図４】図4は本考案のフックをフック穴に挿入した後の表示図である。
【図５】図5は本考案の貯蔵袋の構造表示図である。
【図６】図6は本考案のフックの左右で単独的な使用状態表示図である。
【図７】図7は本考案の金属フックの使用状態表示図である。
【図８】図8は本考案の貯蔵袋蓋の固定表示図である。
【図９】図9は本考案の貯蔵袋蓋の固定表示図である。
【図１０】図10は本考案の折り畳みチェアの収納表示図である。
【図１１】図11は本考案の折り畳みチェアの収納表示図である。
【図１２】図12は本考案の折り畳みチェアの収納表示図である。
【図１３】図13は本考案の折り畳みチェアの収納表示図である。
【図１４】図14は本考案の正面構造表示図である。
【図１５】図15は本考案の規格が異なるベルトの表示図である。
【図１６】図16は本考案のクロスバンド構造表示図である。
【図１７】図17は本考案のクロスバンド構造表示図である。
【図１８】図18は本考案のベビーカーとして使われる構造表示図である。
【図１９】図19は本考案のベビーカーとして使われる構造表示図である。
【図２０】図20は本考案のベビーカーとして使われる構造表示図である。
【図２１】図21は本考案の荷物かばんを積み載せる構造表示図である。
【図２２】図22は本考案の大きなパックを積み載せる構造表示図である。
【図２３】図23は本考案の大きなパックを積み載せる構造表示図である。
【図２４】図24は本考案の大きなスーツケースを積み載せる構造表示図である。
【図２５】図25は本考案の大きなスーツケースを積み載せる構造表示図である。
【図２６】図26は本考案の左右支持脚の構造表示図である。
【図２７】図27は本考案の左右支持脚の構造表示図である。
【図２８】図28は本考案のハンガー使用状態表示図である。
【考案を実施するための形態】
【００１３】
以下、図面を参照しながら、本考案の実施形態について説明する。
図1、図2、図5のように、本考案は、スーツケース本体（１）、スーツケース蓋(3)、引張棒(2)、トロリホイール(4)、折り畳みチェア(25)、クロスバンド(22)、ベルト（211、212、213）を備え、前記スーツケース蓋(3)は本体ダブルファスナー(8)、皺層ロングファスナー(41)、皺層(411)、貯蔵袋(5)と前部突き出し袋(45)から構成される。前記貯蔵袋(5)は貯蔵袋蓋(6)、貯蔵袋中間層(7)と貯蔵袋ダブルファスナー(91、92)を備える。前記貯蔵袋ダブルファスナー(91)は左ファスナーであり、前記貯蔵袋ダブルファスナー（92）は右ファスナーである。前記貯蔵袋(5)の口が下に向いており、貯蔵袋(5)の最上部が1本のめくりバンド(241)であって前記貯蔵袋蓋(6)を開けた後で上へめくられるように構成されており、貯蔵袋蓋(6)の中に袋蓋雄ボタン(17)、袋蓋雌ボタン(18)とベルト袋(44)が設けられている。前記折り畳みチェア(25)はフロントUパイプ(26)、バックUパイプ(27)、ピン(28)、バックレスト(29)、バックレストUパイプ(42)、ボルト(43)、シートクッション(30)、左支持脚(32)と右支持脚(33)を備える。前記バックレスト(29)の裏に左フック穴(13)、右フック穴(14)を設ける。前記貯蔵袋中間層(7)には左フックバンド(101)、右フックバンド(102)、左フック(11)、右フック(12)、袋右側上雄ボタン(191)、袋右側下雄ボタン(192)、袋左側上雌ボタン(201)、袋左側下雌ボタン(202)を設ける。
【００１４】
図1、図2、図5のように、前記貯蔵袋中間層(7)には左フックバンド(101)と右フックバンド(102)が設けられ、左フックバンド(101)と右フックバンド(102)のバンド上端はそれぞれ本体ダブルファスナー(8)のチェーンベルトと皺層ロングファスナー(41)のチェーンベルトと一緒に貯蔵袋中間層(7)最上部の左右両端に縫合される。左フックバンド(101)と右フックバンド(102)のバンド下端はそれぞれ左フック(11)と右フック(12)と縫製で繋がれている。左フックバンド(101)と右フックバンド(102)のバンド下端もそれぞれ左金属フック(15)と右金属フック(16)と縫製で繋がれてもよく、左金属フック（15）と右金属フック(16)がバックレストUパイプ(42)を引掛けて、折り畳みチェアが吊り下げられる。
【００１５】
図3、図4、図5、図6、図7のように、左フック(11)と右フック(12)が同じプレートの上に位置するように設けられる。または左右に分けて設けられても良い。前記左フック穴（13）と右フック穴（14）が同じプレートの上に位置するように設けられる。または左右に分けて設けられても良い。左フック(11)と右フック(12)をそれぞれ左フック穴(13)と右フック穴(14)に挿入するだけで、折り畳みチェアが吊り下げられる。
【００１６】
図１のように、折り畳みチェア(25)の前Uパイプ(26)と後Uパイプ(27)は、ピン(28)の接続によって、折り畳みチェア(25)のオープンと折り畳みを実現するものである。前Uパイプ(26)と後Uパイプ(27)の間には左支持脚(32)と右支持脚(33)が設けられ、それぞれ左右支持脚を押すだけでシートクッション(30)がぴんと引張られ、左右支持脚が引き起こされて、折り畳みチェアを片付けることができる。前Uパイプ(26)と後Uパイプ(27)の上にはそれぞれ1対のゴム座金（36）があり、折り畳みチェアが床を傷付けないようになっている。
【００１７】
図15、図16、図17、図18、図19、図20のように、折り畳みチェア(25)のシートクッション(30)の裏に縫製で1個のクッション雄ボタン(3１)が繋がれており、クッション雄ボタン(31)をクロスバンド(22)の雌ボタン(224)に挿入するだけで、クロスバンド(22)のワイドストラップ(221)が赤ちゃんの股間を包んでから、クロスバンド(22)の雄ボタン(２２３)がクロスバンドヒッチ(２３)の雌ボタンに挿入され、クロスバンドヒッチ(23)が短ベルト(213)に挿入され、短ベルト(213)の雄ボタンが袋の左側の下雌ボタン(２０２)に挿入され、短ベルト(213)の長さをよく調整した後、短ベルト(213)の雌ボタンに袋右側の下雄ボタン(192)が挿入されれば、赤ちゃんを固定することができる。
【００１８】
図1、図2のように、スーツケース蓋(3)とスーツケース本体(1)の一側には、縫製で一つのめくりバンド(24)を繋いでめくりバンド(24)の両端が本体ダブルファスナー(8)の両端と縫製で繋がれ、スーツケース蓋(3)の左、上、右、下の四つの辺に、本体ダブルファスナー(8)によってスーツケース本体(1)の左、上、右、下の四つの辺を閉めたり開けたりする。
【００１９】
図8、図9のように、貯蔵袋蓋(6)の中には、袋蓋雄ボタン(17)、袋蓋雌ボタン(18)、ベルト袋(44)を設け、中ベルト(211)の一端にある雌ボタンを袋蓋雄ボタン(17)に挿入し、中ベルト(211)の長さをよく調整した後、中ベルト(211)のもう一端の雄ボタンを袋蓋雌ボタン(18)に挿入するだけで、貯蔵袋蓋(6)を引張棒(2)に固定され、引きながら歩く際に貯蔵袋蓋(6)が落下せず、ベルト袋(44)が規格の異なるベルトを貯蔵することができる。
【００２０】
図15、図16、図21、図22、図23、図24、図25のように、前記クロスバンド(22)の中間は2枚のちょうど引張棒に入るワイドストラップ(221)から縫製したものであり、ワイドストラップ(221)の左右両端にはそれぞれ縫製でゴムバンド(222)が繋がれ、ゴムバンド(222)の左端が縫製で雄ボタン(223)に繋がれ、ゴムバンドの右端が縫製で雌ボタン(224)に繋がれる。ワイドストラップ(221)が引張棒に入った後、長ベルト(212)の一端にある雌ボタンにクロスバンド雄ボタン(223)が挿入され、長ベルト(212)の長さをよく調整した後、長ベルト(212)のもう一端の雄ボタンがクロスバンド雌ボタン(224)に挿入され、それから中ベルト(211)の一端にある雌ボタンに袋の右側の下雄ボタン(192)が挿入され、中ベルト(211)の長さをよく調整した後、中ベルト(211)のもう一端の雄ボタンを袋の左側の下雌ボタン(202)に挿入すると、大きいパック(37)または大きなスーツケース本体(38)を袋側左右雄雌ボタン(192)、(202)と引張棒(2)に固定することができ、また、袋の右側の上雄ボタン(191)と袋の左側の上雌ボタン(201)がそれぞれ荷物かばん(39)の左右雄雌ボタン(392)に挿入されると、荷物かばん(39)をロックすることができる。
【００２１】
図10、図11、図12、図13、図14のように、折り畳みチェア(25)を簡単に折り畳んでスーツケース蓋にある貯蔵袋の中に収納することができ、キャリーバッグの美観にまったく影響を与えない。
【００２２】
図26、図27のように、折り畳みチェア（25）の左支持脚（32）は左前足（321）、左後足（322）、左足カシメピン（323）から構成される。右支持脚（33）は右前足（331）、右後足（332）、右足カシメピン（333）から構成され、それぞれ左右支持脚を押すだけで、シートクッションがぴんと引張られ、左右支持脚を引き起こして、折り畳みチェアをしまっておける。
【００２３】
図28のように、外出の際に折り畳みチェア（25）を持たない時には、貯蔵袋(5)が衣服を掛けるように変更でき、ハンガー(34)を左フック(11)と右フック(12)に掛けるだけで、シャツやズボンを洗濯はさみ(35)で挟んで外出する時に持つ衣服にしわが生じなくなる。
【００２４】
上記では本考案について説明を行った。本考案は「椅子、ベビーカー、バゲッジカー、ハンガー」という四つの機能を一体化させ、実用性が強く、制作が簡単で、普及しやすい。ただし、本考案は上記の実施形態だけに限られず、本考案に基づいて行った改良または変更は、すべて本考案に保護される範囲に属する。
【図１】
0003202906.tif 000003
【図２】
0003202906.tif 000004
【図３】
0003202906.tif 000005
【図４】
0003202906.tif 000006
【図５】
0003202906.tif 000007
【図６】
0003202906.tif 000008
【図７】
0003202906.tif 000009
【図８】
0003202906.tif 000010
【図９】
0003202906.tif 000011
【図１０】
0003202906.tif 000012
【図１１】
0003202906.tif 000013
【図１２】
0003202906.tif 000014
【図１３】
0003202906.tif 000015
【図１４】
0003202906.tif 000016
【図１５】
0003202906.tif 000017
【図１６】
0003202906.tif 000018
【図１７】
0003202906.tif 000019
【図１８】
0003202906.tif 000020
【図１９】
0003202906.tif 000021
【図２０】
0003202906.tif 000022
【図２１】
0003202906.tif 000023
【図２２】
0003202906.tif 000024
【図２３】
0003202906.tif 000025
【図２４】
0003202906.tif 000026
【図２５】
0003202906.tif 000027
【図２６】
0003202906.tif 000028
【図２７】
0003202906.tif 000029
【図２８】
0003202906.tif 000030